【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
撮像素子を具備したカメラ本体に対して着脱可能な交換レンズであって、
前記撮像素子に対してレンズ群をティルト方向に移動させるティルト手段と、
前記撮像素子に対して前記レンズ群をシフト方向に移動させるシフト手段と、
前記シフト手段及び前記ティルト手段を相対的に回転させることにより、前記シフト手段及び前記ティルト手段の相対角度を変更させる相対角度変更手段と、
前記相対角度変更手段による前記相対角度を検出する相対角度検出手段と、
前記カメラ本体が撮影時における制御方法の決定と前記撮像素子によって得た画像の補正とのうち少なくとも１つを行うために、前記相対角度検出手段の検出結果を前記カメラ本体に送信する制御手段と、を有することを特徴とする交換レンズ。
【請求項２】
前記相対角度検出手段は、前記制御手段の搭載されている部材に搭載されることを特徴とする請求項１に記載の交換レンズ。
【請求項３】
前記シフト手段、前記相対角度変更手段、前記ティルト手段は、この順で光軸方向に並んで配置されていることを特徴とする請求項１または２に記載の交換レンズ。
【請求項４】
撮像素子を具備したカメラ本体に対して着脱可能な交換レンズであって、
前記撮像素子に対してレンズ群をティルト方向に移動させるティルト手段と、
前記撮像素子に対して前記レンズ群をシフト方向に移動させるシフト手段と、
前記シフト手段及び前記ティルト手段を相対的に回転させることにより、前記シフト手段及び前記ティルト手段の相対角度を変更させる相対角度変更手段と、を有し、
前記相対角度変更手段は、
前記ティルト手段に固定され、前記シフト手段と径嵌合する嵌合部材と、
前記シフト手段に対して光軸周りの回転運動を規制され、前記嵌合部材を前記シフト手段の方向へ付勢する付勢部材とからなり、
前記嵌合部材は、前記ティルト手段と光軸を中心として一体となり、前記付勢部材及び前記シフト手段に対して相対的に回転することを特徴とする交換レンズ。
【請求項５】
前記相対角度変更手段は、
軸ネジ及び弾性部材により前記付勢部材を介して前記嵌合部材を前記シフト手段に付勢し、
前記軸ネジは、ネジが刻まれている第１の径を持つ第１の円柱と、前記付勢部材と径嵌合し、軸ネジの軸に垂直な面で前記シフト手段と突き当たる突き当て面を有する前記第１の径よりも大きい第２の径を持つ第２の円柱と、前記付勢部材が外部からの衝撃によって光軸方向に移動させられたときに前記軸に垂直な面で当接し、前記付勢部材が脱落するのを防止する前記第２の径よりも大きい第３の径を持つ第３の円柱と、前記弾性部材と当接し、前記弾性部材を介して前記付勢部材を前記シフト手段に付勢する前記第３の径よりも大きい第４の径を持つ第４の円柱とからなることを特徴とする請求項４に記載の交換レンズ。
【請求項６】
前記シフト手段には光軸方向に凸であり、光軸方向に移動可能な凸部が配置され、
前記嵌合部材には前記凸部と嵌合可能な光軸方向に凹んだ凹部が所定の間隔で配置され、
前記凸部が前記凹部に挿入されたとき、前記嵌合部材の光軸周りの回転がロックされるロック手段を有することを特徴とする請求項４または５に記載の交換レンズ。
【請求項７】
前記嵌合部材の内周に突起部が配置され、
前記シフト手段の前記突起部と同じ径の円周上に突起が所定の間隔で配置され、
前記嵌合部材は前記突起部が側面で前記突起と当接することによって、光軸周りの回転が前記突起の所定の間隔で規制される回転規制手段を有することを特徴とする請求項４乃至６のいずれか１つに記載の交換レンズ。
【請求項８】
撮像素子を具備したカメラ本体に対して着脱可能な交換レンズであって、
前記撮像素子に対してレンズ群をティルト方向に移動させるティルト手段と、
前記撮像素子に対して前記レンズ群をシフト方向に移動させるシフト手段と、
前記シフト手段及び前記ティルト手段を相対的に回転させることにより、前記シフト手段及び前記ティルト手段の相対角度を変更させる相対角度変更手段と、を有し、
前記相対角度変更手段は、
前記シフト手段に固定され、前記ティルト手段と径嵌合する嵌合部材と、
前記ティルト手段に対して光軸周りの回転運動を規制され、前記嵌合部材を前記ティルト手段の方向へ付勢する付勢部材とからなり、
前記嵌合部材は、前記シフト手段と光軸を中心として一体となり、前記付勢部材及び前記ティルト手段に対して相対的に回転することを特徴とする交換レンズ。
【請求項９】
前記相対角度変更手段は、
軸ネジ及び弾性部材により前記付勢部材を介して前記嵌合部材を前記ティルト手段に付勢し、
前記軸ネジは、ネジが刻まれている第１の径を持つ第１の円柱と、前記付勢部材と径嵌合し、軸ネジの軸に垂直な面で前記ティルト手段と突き当たる突き当て面を有する前記第１の径よりも大きい第２の径を持つ第２の円柱と、前記付勢部材が外部からの衝撃によって光軸方向に移動させられたときに前記軸に垂直な面で当接し、前記付勢部材が脱落するのを防止する前記第２の径よりも大きい第３の径を持つ第３の円柱と、前記弾性部材と当接し、前記弾性部材を介して前記付勢部材を前記ティルト手段に付勢する前記第３の径よりも大きい第４の径を持つ第４の円柱とからなることを特徴とする請求項８に記載の交換レンズ。
【請求項１０】
前記ティルト手段には光軸方向に凸であり、光軸方向に移動可能な凸部が配置され、
前記嵌合部材には前記凸部と嵌合可能な光軸方向に凹んだ凹部が所定の間隔で配置され、
前記凸部が前記凹部に挿入されたとき、前記嵌合部材の光軸周りの回転がロックされるロック手段を有することを特徴とする請求項８または９に記載の交換レンズ。
【請求項１１】
前記嵌合部材の内周に突起部が配置され、
前記ティルト手段の前記突起部と同じ径の円周上に突起が所定の間隔で配置され、
前記嵌合部材は前記突起部が側面で前記突起と当接することによって、光軸周りの回転が前記突起の所定の間隔で規制される回転規制手段を有することを特徴とする請求項８乃至１０のいずれか１つに記載の交換レンズ。
【請求項１２】
請求項１乃至１１のいずれか１つに記載の交換レンズとカメラ本体とからなるカメラシステム。
【請求項１３】
前記カメラ本体は前記交換レンズから送信された前記相対角度検出手段の検出結果に基づいて、露出制御方法の変更、周辺光量補正、シャッタ駆動制御方法の変更、収差補正、フォーカス駆動制御方法の変更の内、少なくとも１つを行うことを特徴とする請求項１２に記載のカメラシステム。
【手続補正２】
【補正対象書類名】明細書
【補正対象項目名】０００８
【補正方法】変更
【補正の内容】
【０００８】
上記の課題を解決するために、本発明は、撮像素子を具備したカメラ本体に対して着脱可能な交換レンズであって、前記撮像素子に対してレンズ群をティルト方向に移動させるティルト手段と、前記撮像素子に対して前記レンズ群をシフト方向に移動させるシフト手段と、前記シフト手段及び前記ティルト手段を相対的に回転させることにより、前記シフト手段及び前記ティルト手段の相対角度を変更させる相対角度変更手段と、前記相対角度変更手段による前記相対角度を検出する相対角度検出手段と、前記カメラ本体が撮影時における制御方法の決定と前記撮像素子によって得た画像の補正とのうち少なくとも１つを行うために、前記相対角度検出手段の検出結果を前記カメラ本体に送信する制御手段と、を有することを特徴とする。